(57)【要約】【課題】店舗内に配設された異なる現金処理機間で人手を介した貨幣の移動をおこなう場合に、貨幣が帰属する現金処理機または人を管理し、もって人手を介した貨幣の受け渡しに伴う不正やミスを防止することを課題とする。【解決手段】レジスタ２０には、レジ係員の担当者ＩＤを登録し、レジスタ２０からの両替金出金時に担当者ＩＤを認識し、担当者ＩＤを含む両替依頼データ１３ａを管理装置１０の記憶部１３に格納し、両替補充機３０はこの両替依頼データ１３ａに基づく適正な入金時には両替金を出金し、両替金出金データ１３ｂを管理装置１０へ送信し、この両替金出金データ１３ｂを受信したレジスタ２０は、両替金出金データ１３ｂに基づく適正な入金時には入金完了データを管理装置１０に送信し、管理装置１０が該当する両替依頼データ１３ａおよび両替金出金データ１３ｂの消し込み処理をおこなう。【選択図】        図２
2005275805.tif 000002
【特許請求の範囲】
【請求項１】
商品の精算処理をおこなうレジに配設されたレジスタと、該レジスタとの間で貨幣の受け渡しをおこなう貨幣処理機とを有し、所定の操作員を介して前記貨幣が前記レジスタと前記貨幣処理機との間で受け渡される資金管理システムであって、
前記レジスタおよび／または前記貨幣処理機は、
前記操作員に対して貨幣の出金をおこなう際に、少なくとも出金金額および当該操作員の識別情報を含む出金情報を通知する出金情報通知手段と、
前記出金情報通知手段により通知された出金情報に含まれる操作員の識別情報と前記貨幣を入金する操作員の識別情報が一致し、かつ、前記出金情報に含まれる出金金額と前記操作員によって入金された貨幣の入金金額とが一致する場合に、正常な入金がおこなわれたものと判定する判定手段と
を備えたことを特徴とする資金管理システム。
【請求項２】
前記判定手段は、前記操作員からの入金を受け付ける際に、該操作員の識別情報を読み取る操作員識別情報読取手段を備え、前記操作員識別情報読取手段によって読み取られた操作員の識別情報と前記出金情報に含まれる操作員の識別情報とが一致するか否かを判定することを特徴とする請求項１に記載の資金管理システム。
【請求項３】
前記レジスタと前記貨幣処理機との間に介在する管理装置をさらに備え、前記レジスタまたは前記貨幣処理機は、前記判定手段により正常な入金がおこなわれたと判定した場合に、前記管理装置に対して正常な入金がおこなわれた旨を示す入金完了通知をおこなう入金完了通知手段をさらに備え、前記管理装置は、前記貨幣を出金する前記レジスタまたは前記貨幣処理機から受け付けた出金情報を記憶する出金情報記憶手段と、前記貨幣を出金する前記レジスタまたは前記貨幣処理機から受け付けた出金情報を当該貨幣の入金先である前記貨幣処理機または前記レジスタに転送する転送手段と、前記貨幣の入金先である貨幣処理機またはレジスタから前記入金完了通知を受け付けた際に、前記出金情報記憶手段に記憶した出金情報を消し込むよう制御する消込制御手段とを備えたことを特徴とする請求項１または２に記載の資金管理システム。
【請求項４】
商品の精算処理をおこなうレジに配設されたレジスタと、該レジスタ内の貨幣を両替する貨幣処理機とを有し、所定の操作員を介して前記レジスタ内の貨幣が前記貨幣処理機に受け渡されるとともに、該操作員を介して前記貨幣処理機により両替された貨幣が前記貨幣処理機から前記レジスタに受け渡される資金管理システムであって、
前記レジスタと前記貨幣処理機との間に介在する管理装置が設けられ、
前記レジスタは、両替用の貨幣を出金する際に該貨幣の出金金額、当該レジスタの識別情報、当該レジスタを操作する操作員の識別情報並びに両替後の貨幣金種を含む両替依頼情報を前記管理装置に通知する両替依頼情報通知手段と、前記管理装置から転送された前記貨幣処理機による両替後の貨幣の出金金額、前記貨幣処理機から両替後の貨幣の出金を受ける操作員の識別情報および該貨幣の入金先のレジスタの識別情報を含む両替金出金情報を前記管理装置から受け付ける受付手段と、前記受付手段により受け付けられた両替金出金情報に含まれる操作員の識別情報と前記貨幣を入金する操作員の識別情報が一致し、かつ、前記両替金出金情報に含まれる出金金額と前記操作員によって入金された貨幣の入金金額とが一致する場合に、正常な入金がおこなわれたものと判定する第１の判定手段と、前記第１の判定手段により正常な入金がおこなわれたと判定した場合に、前記管理装置に対して前記入金完了通知をおこなう入金完了通知手段とを備え、
前記管理装置は、前記レジスタから通知された両替依頼情報を記憶する両替依頼情報記憶手段と、前記レジスタから通知された前記両替依頼情報を前記貨幣処理機に対して転送する第１の転送手段と、前記貨幣処理機から通知された前記両替金出金情報を前記両替依頼情報に対応づけて前記両替依頼情報記憶手段に格納する格納手段と、前記貨幣処理機から受け付けた両替金出金情報を前記レジスタに対して転送する第２の転送手段と、前記レジスタから前記入金完了通知を受け付けた際に、前記両替依頼情報記憶手段に記憶した両替依頼情報および両替金出金情報を消し込むよう制御する消込制御手段とを備え、
前記貨幣処理機は、前記管理装置から転送された両替依頼情報に含まれる操作員の識別情報と前記貨幣を入金する操作員の識別情報が一致し、かつ、前記両替依頼情報に含まれる出金金額と前記操作員によって入金された貨幣の入金金額とが一致する場合に、正常な入金がおこなわれたものと判定する第２の判定手段と、前記第２の判定手段により正常な入金がおこなわれたと判定した場合に、前記両替依頼情報に含まれる両替後の貨幣金種の貨幣を払い出す両替手段と、両替後に前記両替金出金情報を前記管理装置に対して通知する両替金出金情報通知手段を備えた
ことを特徴とする資金管理システム。
【請求項５】
商品の精算処理をおこなうレジに配設されたレジスタと、該レジスタ内に補充する貨幣を出金する貨幣処理機とを有し、所定の操作員を介して前記貨幣処理機から出金された補充用の貨幣が前記貨幣処理機から前記レジスタに受け渡される資金管理システムであって、
前記レジスタと前記貨幣処理機との間に介在する管理装置が設けられ、
前記レジスタは、前記貨幣処理機に要求する補充用貨幣の貨幣種別、貨幣枚数、当該レジスタを操作する操作員の識別情報および当該レジスタの識別情報を含む補充依頼情報を前記管理装置に通知する補充依頼通知手段と、前記操作員を介して補充用貨幣が入金された際に、該補充用貨幣の貨幣種別、貨幣枚数および当該レジスタの識別情報を含む補充完了情報を前記管理装置に通知する補充完了通知手段とを備え、
前記管理装置は、前記レジスタから通知された補充依頼情報を記憶する補充依頼情報記憶手段と、前記レジスタから通知された補充依頼情報を前記貨幣処理機に対して転送する転送手段と、前記レジスタから補充完了情報を受け付けた際に、該補充完了情報に含まれる補充用貨幣の貨幣種別および貨幣枚数が前記補充依頼情報記憶手段に記憶された補充依頼情報に含まれる貨幣種別および貨幣枚数と一致する場合に、前記補充依頼情報記憶手段に記憶された補充依頼情報の消し込みをおこなう消込処理手段とを備え、
前記貨幣処理機は、前記管理装置から転送された補充依頼情報に含まれる操作員の識別情報と前記貨幣を出金する操作員の識別情報が一致する場合に、前記管理装置から転送された補充依頼情報に基づいて補充用貨幣を出金する出金処理手段を備えた
ことを特徴とする資金管理システム。
【請求項６】
前記管理装置は、前記貨幣処理機内の貨幣の残高を管理する貨幣処理機内残高管理手段と、両替依頼または補充依頼を受け付けた際に、これらに要する貨幣金種の貨幣が前記貨幣処理機内に存在するか否かを判定する判定手段と、前記判定手段により前記貨幣処理機内に存在しないと判定した場合には、前記レジスタに対して棄却通知をおこなう第１の棄却通知手段とをさらに備えたことを特徴とする請求項４または５に記載の資金管理システム。
【請求項７】
前記管理装置は、前記レジスタ内の貨幣の残高を管理するレジスタ内残高管理手段と、両替依頼または補充依頼を受け付けた際に、これらに要する貨幣金種の貨幣が前記レジスタ内に収納可能であるか否かを判定する収納可否判定手段と、前記収納可否判定手段により前記レジスタ内に収納可能でないと判定した場合には、前記レジスタに対して棄却通知をおこなう第２の棄却通知手段とをさらに備えたことを特徴とする請求項４、５または６に記載の資金管理システム。
【請求項８】
商品の精算処理をおこなうレジに配設されたレジスタと、該レジスタ内の売上金を収容する貨幣処理機とを有し、所定の操作員を介して前記売上金としての貨幣が前記レジスタから前記貨幣処理機へと受け渡される資金管理システムであって、
前記レジスタと前記貨幣処理機との間に介在する管理装置が設けられ、
前記レジスタは、前記貨幣を出金する際に該貨幣の出金金額、当該レジスタの識別情報および当該レジスタを操作する操作員の識別情報を含む入金依頼情報を前記管理装置に通知する入金依頼情報通知手段を備え、
前記管理装置は、前記レジスタから通知された入金依頼情報を記憶する入金依頼情報記憶手段と、前記レジスタから通知された入金依頼情報を前記貨幣処理機に対して転送する転送手段と、前記貨幣処理機から正常な入金がおこなわれた旨を示す入金完了通知を受け付けた際に、前記入金依頼情報記憶手段に記憶した入金依頼情報を消し込むよう制御する消込制御手段とを備え、
前記貨幣処理機は、前記管理装置から通知された入金依頼情報に含まれる操作員の識別情報と前記貨幣を入金する操作員の識別情報が一致し、かつ、前記入金依頼情報に含まれる出金金額と前記操作員によって入金された貨幣の入金金額とが一致する場合に、正常な入金がおこなわれたものと判定する判定手段と、前記判定手段により正常な入金がおこなわれたと判定した場合に、前記管理装置に対して前記入金完了通知をおこなう入金完了通知手段とを備えた
ことを特徴とする資金管理システム。
【請求項９】
商品の精算処理をおこなうレジに配設されたレジスタと、該レジスタ内の売上金を収容する貨幣処理機とを有し、売上金を内在する売上金回収用カセットを用いて所定の操作員を介して前記売上金としての貨幣が前記レジスタから前記貨幣処理機へと受け渡される資金管理システムであって、
前記レジスタと前記貨幣処理機との間に介在する管理装置が設けられ、
前記レジスタは、前記売上金回収用カセットを取り外す際に該売上金回収用カセット内の貨幣の金額、当該レジスタの識別情報および当該レジスタを操作する操作員の識別情報を含む入金依頼情報を前記管理装置に通知する入金依頼情報通知手段と、前記売上金回収用カセットを取り外す際に該売上金回収用カセットに付設したＩＣタグに当該レジスタの識別情報および当該レジスタを操作する操作員の識別情報を格納制御する格納制御手段とを備え、
前記管理装置は、前記レジスタから通知された入金依頼情報を記憶する入金依頼情報記憶手段と、前記レジスタから通知された入金依頼情報を前記貨幣処理機に対して転送する転送手段と、前記貨幣処理機から正常な入金がおこなわれた旨を示す入金完了通知を受け付けた際に、前記出金情報記憶手段に記憶した入金依頼情報を消し込むよう制御する消込制御手段とを備え、
前記貨幣処理機は、前記管理装置から通知された入金依頼情報に含まれる操作員の識別情報と前記売上金回収用カセットを装着する操作員の識別情報が一致し、かつ、前記出金情報に含まれるレジスタの識別情報と前記操作員によって装着された売上金回収用カセットに付設されたＩＣタグから読み取ったレジスタの識別情報とが一致する場合に、正常な入金がおこなわれたものと判定する判定手段と、前記判定手段により正常な入金がおこなわれたと判定した場合に、前記管理装置に対して前記入金完了通知をおこなう入金完了通知手段とを備えた
ことを特徴とする資金管理システム。
【請求項１０】
前記管理装置は、前記貨幣処理機内の貨幣の残高を管理する貨幣処理機内残高管理手段と、売上金入金依頼を受け付けた際に、これらに要する貨幣金種の貨幣が前記貨幣処理機内に収納可能であるか否かを判定する収納可否判定手段と、前記収納可否判定手段により前記貨幣処理機内に収納可能でないと判定した場合には、前記レジスタに対して棄却通知をおこなう第３の棄却通知手段とをさらに備えたことを特徴とする請求項８または９に記載の資金管理システム。
【発明の詳細な説明】
【技術分野】
【０００１】
本発明は、スーパーマーケットなどの店舗における資金管理システムに関し、特に、店舗内に配設された異なる現金処理機間で人手を介した貨幣の移動をおこなう場合に、貨幣を所持する人の移動を管理することで、現金処理機の入出金を正確に把握し、もって人手を介した貨幣の受け渡しに伴う不正やミスを防止することができる資金管理システムに関する。
【背景技術】
【０００２】
従来、スーパーマーケットなどの店舗内には、いわゆるレジと呼ばれる商品の精算場所を設けるとともに、このレジ内にレジスタと呼ばれる釣り銭機を配設し、レジ係員がレジスタを用いて顧客が購入する商品の精算処理をおこなうのが一般的である。なお、特許文献１には、ＰＯＳ（Point Of Sales）に対応可能なレジスタの一例が開示されている。
【０００３】
また、複数のレジを設けた店舗では、各レジスタとは別に両替補充機や売上金入金機などの現金処理機が配設される。この両替補充機とは、各レジスタで釣り銭用貨幣が不足する場合に貨幣の両替をおこなう現金処理機であり、具体的には、レジ係員がレジスタ内の一万円札を持って両替補充機の場所まで赴き、両替補充機で両替した１００円硬貨を持ってレジに戻り、レジスタ内にかかる１００円硬貨を補充することになる。また、レジスタ内に両替をする貨幣がないような場合には、両替補充機から補充用の釣り銭用貨幣を払い出し、この釣り銭用貨幣をレジスタ内に補充する。
【０００４】
一方、売上金入金機とは、各レジでの売上を入金するための現金処理機であり、たとえば、店舗が閉店する場合には、レジ係員が翌日の釣り銭用貨幣を除いたレジスタ内部の現金を持って売上金入金機の場所まで赴き、その現金を売上金として売上金入金機に入金することになる。
【０００５】
このように、店舗内には、レジスタ、両替補充機および売上金入金機といった役割の異なる複数の現金処理機が設けられ、これらの現金処理機間での貨幣の受け渡しはレジ係員が人手でおこなうのが通常である。
【０００６】
さらに、スーパーマーケットなどの店舗においては、レジ係員による現金処理機間の貨幣の受け渡しは頻繁に行なわれるため、レジ係員が貨幣を持ち歩くことが通常である。なお、特許文献２には、現金処理機間で共用される現金カセットの所在を管理することにより資金管理を行うシステムの例が開示されている。
【０００７】
【特許文献１】特開平８−２３５４３９号公報
【特許文献２】特開２００３−６７１４号公報
【発明の開示】
【発明が解決しようとする課題】
【０００８】
しかしながら、かかる現金処理機間での貨幣の受け渡しを人手を介しておこなうとなると、レジ係員が貨幣を持ち歩く際の不正やミスが問題となる。特に、店舗に配設されるレジスタは、銀行などに配設される現金処理機と異なり大量の貨幣を収納できないために、両替や補充の頻度が多くなる可能性があるので、かかる不正やミスが生じやすい。
【０００９】
たとえば、レジ係員がレジスタ内の一万円札を両替補充機で千円札１０枚に両替した後、誤って千円札９枚しかレジスタに戻さないような場合には、最終的な売上収支が正確でなくなってしまう。また、両替補充機から補充用として千円札１０枚を払い出したのにもかかわらず、レジ係員が千円札９枚しかレジスタに補充しなかったような場合や、レジ係員が売上金の一部しか売上金入金機に入金しなかったような場合にも、同様の売上収支の不一致が生じてしまう。
【００１０】
これらの売上収支の不一致が高額になると、何故不一致が生じたのかという原因の探求に多大の労力を要してしまうという問題が生ずるし、たとえ不一致が低額であったとしても本来は看過すべきではない。
【００１１】
このため、店舗内に配設された異なる現金処理機間で人手を介した貨幣の移動をおこなう場合に、いかに厳正に貨幣の受け渡しをおこなわせるかが重要な課題となっている。この際、現金処理機の入出金の状況のみならず、貨幣を持ち運ぶ人（レジ係員）をも特定して、貨幣が帰属する現金処理機または人を常時管理することが重要となる。
【００１２】
ここで、貨幣を現金カセットに収納してレジ係員とともに移動させることとし、さらに、現金カセットの所在を管理することで、厳正な貨幣の受け渡しという課題を解決することも考えられる。
【００１３】
しかし、貨幣の移動を現金カセットに限定すると、両替や補充といった小額な現金の移動が頻繁に発生するスーパーマーケットなどの店舗においては、現金移動が大掛かりなものとなり、レジ係員の業務上の負担も大きくなる。
【００１４】
この発明は、上記課題（問題点）に鑑みてなされたものであり、店舗内に配設された異なる現金処理機間で人手を介した貨幣の移動をおこなう場合に、貨幣が帰属する現金処理機または人を常時管理することにより、現金カセットを必ずしも必要とせずに、人手を介した貨幣の受け渡しに伴う不正やミスを防止することができる資金管理システムおよび資金管理方法を提供することを目的とする。
【課題を解決するための手段】
【００１５】
上述した課題を解決するため、本発明は、商品の精算処理をおこなうレジに配設されたレジスタと、該レジスタとの間で貨幣の受け渡しをおこなう貨幣処理機とを有し、所定の操作員を介して前記貨幣が前記レジスタと前記貨幣処理機との間で受け渡される資金管理システムであって、前記レジスタおよび／または前記貨幣処理機は、前記操作員に対して貨幣の出金をおこなう際に、少なくとも出金金額および当該操作員の識別情報を含む出金情報を通知する出金情報通知手段と、前記出金情報通知手段により通知された出金情報に含まれる操作員の識別情報と前記貨幣を入金する操作員の識別情報が一致し、かつ、前記出金情報に含まれる出金金額と前記操作員によって入金された貨幣の入金金額とが一致する場合に、正常な入金がおこなわれたものと判定する判定手段とを備えたことを特徴とする。
【００１６】
また、本発明は、上記発明において、前記判定手段は、前記操作員からの入金を受け付ける際に、該操作員の識別情報を読み取る操作員識別情報読取手段を備え、前記操作員識別情報読取手段によって読み取られた操作員の識別情報と前記出金情報に含まれる操作員の識別情報とが一致するか否かを判定することを特徴とする。
【００１７】
また、本発明は、上記発明において、前記レジスタと前記貨幣処理機との間に介在する管理装置をさらに備え、前記レジスタまたは前記貨幣処理機は、前記判定手段により正常な入金がおこなわれたと判定した場合に、前記管理装置に対して正常な入金がおこなわれた旨を示す入金完了通知をおこなう入金完了通知手段をさらに備え、前記管理装置は、前記貨幣を出金する前記レジスタまたは前記貨幣処理機から受け付けた出金情報を記憶する出金情報記憶手段と、前記貨幣を出金する前記レジスタまたは前記貨幣処理機から受け付けた出金情報を当該貨幣の入金先である前記貨幣処理機または前記レジスタに転送する転送手段と、前記貨幣の入金先である貨幣処理機またはレジスタから前記入金完了通知を受け付けた際に、前記出金情報記憶手段に記憶した出金情報を消し込むよう制御する消込制御手段とを備えたことを特徴とする。
【００１８】
また、本発明は、商品の精算処理をおこなうレジに配設されたレジスタと、該レジスタ内の貨幣を両替する貨幣処理機とを有し、所定の操作員を介して前記レジスタ内の貨幣が前記貨幣処理機に受け渡されるとともに、該操作員を介して前記貨幣処理機により両替された貨幣が前記貨幣処理機から前記レジスタに受け渡される資金管理システムであって、前記レジスタと前記貨幣処理機との間に介在する管理装置が設けられ、前記レジスタは、両替用の貨幣を出金する際に該貨幣の出金金額、当該レジスタの識別情報、当該レジスタを操作する操作員の識別情報並びに両替後の貨幣金種を含む両替依頼情報を前記管理装置に通知する両替依頼情報通知手段と、前記管理装置から転送された前記貨幣処理機による両替後の貨幣の出金金額、前記貨幣処理機から両替後の貨幣の出金を受ける操作員の識別情報および該貨幣の入金先のレジスタの識別情報を含む両替金出金情報を前記管理装置から受け付ける受付手段と、前記受付手段により受け付けられた両替金出金情報に含まれる操作員の識別情報と前記貨幣を入金する操作員の識別情報が一致し、かつ、前記両替金出金情報に含まれる出金金額と、前記操作員によって入金された貨幣の入金金額とが一致する場合に、正常な入金がおこなわれたものと判定する第１の判定手段と、前記第１の判定手段により正常な入金がおこなわれたと判定した場合に、前記管理装置に対して前記入金完了通知をおこなう入金完了通知手段とを備え、前記管理装置は、前記レジスタから通知された両替依頼情報を記憶する両替依頼情報記憶手段と、前記レジスタから通知された前記両替依頼情報を前記貨幣処理機に対して転送する第１の転送手段と、前記貨幣処理機から通知された前記両替金出金情報を前記両替依頼情報に対応づけて前記両替依頼情報記憶手段に格納する格納手段と、前記貨幣処理機から受け付けた両替金出金情報を前記レジスタに対して転送する第２の転送手段と、前記レジスタから前記入金完了通知を受け付けた際に、前記出金情報記憶手段に記憶した両替依頼情報および両替金出金情報を消し込むよう制御する消込制御手段とを備え、前記貨幣処理機は、前記管理装置から転送された両替依頼情報に含まれる操作員の識別情報と前記貨幣を入金する操作員の識別情報が一致し、かつ、前記両替依頼情報に含まれる出金金額と前記操作員によって入金された貨幣の入金金額とが一致する場合に、正常な入金がおこなわれたものと判定する第２の判定手段と、前記第２の判定手段により正常な入金がおこなわれたと判定した場合に、前記両替依頼情報に含まれる両替後の貨幣金種の貨幣を払い出す両替手段と、両替後に前記両替金出金情報を前記管理装置に対して通知する両替金出金情報通知手段を備えたことを特徴とする。
【００１９】
また、本発明は、商品の精算処理をおこなうレジに配設されたレジスタと、該レジスタ内に補充する貨幣を出金する貨幣処理機とを有し、所定の操作員を介して前記貨幣処理機から出金された補充用の貨幣が前記貨幣処理機から前記レジスタに受け渡される資金管理システムであって、前記レジスタと前記貨幣処理機との間に介在する管理装置が設けられ、前記レジスタは、前記貨幣処理機に要求する補充用貨幣の貨幣種別、貨幣枚数、当該レジスタを操作する操作員の識別情報および当該レジスタの識別情報を含む補充依頼情報を前記管理装置に通知する補充依頼通知手段と、前記操作員を介して補充用貨幣が入金された際に、該補充用貨幣の貨幣種別、貨幣枚数および当該レジスタの識別情報を含む補充完了情報を前記管理装置に通知する補充完了通知手段とを備え、前記管理装置は、前記レジスタから通知された補充依頼情報を記憶する補充依頼情報記憶手段と、前記レジスタから通知された補充依頼情報を前記貨幣処理機に対して転送する転送手段と、前記レジスタから補充完了情報を受け付けた際に、該補充完了情報に含まれる補充用貨幣の貨幣種別および貨幣枚数が前記補充依頼情報記憶手段に記憶された補充依頼情報に含まれる貨幣種別および貨幣枚数と一致する場合に、前記補充依頼情報記憶手段に記憶された補充依頼情報の消し込みをおこなう消込処理手段とを備え、前記貨幣処理機は、前記管理装置から転送された補充依頼情報に含まれる操作員の識別情報と前記貨幣を出金する操作員の識別情報が一致する場合に、前記管理装置から転送された補充依頼情報に基づいて補充用貨幣を出金する出金処理手段を備えたことを特徴とする。
【００２０】
また、本発明は、上記発明において、前記管理装置は、前記貨幣処理機内の貨幣の残高を管理する貨幣処理機内残高管理手段と、両替依頼または補充依頼を受け付けた際に、これらに要する貨幣金種の貨幣が前記貨幣処理機内に存在するか否かを判定する判定手段と、前記判定手段により前記貨幣処理機内に存在しないと判定した場合には、前記レジスタに対して棄却通知をおこなう第１の棄却通知手段とをさらに備えたことを特徴とする。
【００２１】
また、本発明は、上記発明において、前記管理装置は、前記レジスタ内の貨幣の残高を管理するレジスタ内残高管理手段と、両替依頼または補充依頼を受け付けた際に、これらに要する貨幣金種の貨幣が前記レジスタ内に収納可能であるか否かを判定する収納可否判定手段と、前記収納可否判定手段により前記レジスタ内に収納可能でないと判定した場合には、前記レジスタに対して棄却通知をおこなう第２の棄却通知手段とをさらに備えたことを特徴とする。
【００２２】
また、本発明は、商品の精算処理をおこなうレジに配設されたレジスタと、該レジスタ内の売上金を収容する貨幣処理機とを有し、所定の操作員を介して前記売上金としての貨幣が前記レジスタから前記貨幣処理機へと受け渡される資金管理システムであって、前記レジスタと前記貨幣処理機との間に介在する管理装置が設けられ、前記レジスタは、前記貨幣を出金する際に該貨幣の出金金額、当該レジスタの識別情報および当該レジスタを操作する操作員の識別情報を含む入金依頼情報を前記管理装置に通知する入金依頼情報通知手段を備え、前記管理装置は、前記レジスタから通知された入金依頼情報を記憶する入金依頼情報記憶手段と、前記レジスタから通知された入金依頼情報を前記貨幣処理機に対して転送する転送手段と、前記貨幣処理機から正常な入金がおこなわれた旨を示す入金完了通知を受け付けた際に、前記入金依頼情報記憶手段に記憶した入金依頼情報を消し込むよう制御する消込制御手段とを備え、前記貨幣処理機は、前記管理装置から通知された入金依頼情報に含まれる操作員の識別情報と前記貨幣を入金する操作員の識別情報が一致し、かつ、前記入金依頼情報に含まれる出金金額と前記操作員によって入金された貨幣の入金金額とが一致する場合に、正常な入金がおこなわれたものと判定する判定手段と、前記判定手段により正常な入金がおこなわれたと判定した場合に、前記管理装置に対して前記入金完了通知をおこなう入金完了通知手段とを備えたことを特徴とする。
【００２３】
また、本発明は、商品の精算処理をおこなうレジに配設されたレジスタと、該レジスタ内の売上金を収容する貨幣処理機とを有し、売上金を内在する売上金回収用カセットを用いて所定の操作員を介して前記売上金としての貨幣が前記レジスタから前記貨幣処理機へと受け渡される資金管理システムであって、前記レジスタと前記貨幣処理機との間に介在する管理装置が設けられ、前記レジスタは、前記売上金回収用カセットを取り外す際に該売上金回収用カセット内の貨幣の金額、該レジスタの識別情報および当該レジスタを操作する操作員の識別情報を含む入金依頼情報を前記管理装置に通知する入金依頼情報通知手段と、前記売上金回収用カセットを取り外す際に該売上金回収用カセットに付設したＩＣタグに当該レジスタの識別情報および当該レジスタを操作する操作員の識別情報を格納制御する格納制御手段とを備え、前記管理装置は、前記レジスタから通知された入金依頼情報を記憶する入金依頼情報記憶手段と、前記レジスタから通知された入金依頼情報を前記貨幣処理機に対して転送する転送手段と、前記貨幣処理機から正常な入金がおこなわれた旨を示す入金完了通知を受け付けた際に、前記入金依頼情報記憶手段に記憶した出金情報を消し込むよう制御する消込制御手段とを備え、前記貨幣処理機は、前記管理装置から通知された入金依頼情報に含まれる操作員の識別情報と前記売上金回収用カセットを装着する操作員の識別情報が一致し、かつ、前記出金情報に含まれるレジスタの識別情報と前記操作員によって装着された売上金回収用カセットに付設されたＩＣタグから読み取ったレジスタの識別情報とが一致する場合に、正常な入金がおこなわれたものと判定する判定手段と、前記判定手段により正常な入金がおこなわれたと判定した場合に、前記管理装置に対して前記入金完了通知をおこなう入金完了通知手段とを備えたことを特徴とする。
【００２４】
また、本発明は、上記発明において、前記管理装置は、前記貨幣処理機内の貨幣の残高を管理する貨幣処理機内残高管理手段と、売上金入金依頼を受け付けた際に、これらに要する貨幣金種の貨幣が前記貨幣処理機内に収納可能であるか否かを判定する収納可否判定手段と、前記収納可否判定手段により前記貨幣処理機内に収納可能でないと判定した場合には、前記レジスタに対して棄却通知をおこなう第３の棄却通知手段とをさらに備えたことを特徴とする。
【発明の効果】
【００２５】
本発明によれば、操作員に対して貨幣の出金をおこなう際に、少なくとも出金金額および当該操作員の識別情報を含む出金情報を通知し、通知された出金情報に含まれる操作員の識別情報と貨幣を入金する操作員の識別情報が一致し、かつ、出金情報に含まれる出金金額と操作員によって入金された貨幣の入金金額とが一致する場合に、正常な入金がおこなわれたものと判定するよう構成したので、店舗内に配設された異なる現金処理機（レジスタおよび貨幣処理機）間で人手を介した貨幣の移動をおこなう場合に、現金処理機の入出金並びにその運搬を担う操作員を正確に把握し、もって人手を介した貨幣の受け渡しに伴う不正やミスを防止することができる。
【００２６】
本発明によれば、操作員からの入金を受け付ける際に、該操作員の識別情報を読み取り、読み取った操作員の識別情報と出金情報に含まれる操作員の識別情報とが一致するか否かを判定するよう構成したので、たとえば操作員が常時携帯するＩＤカードなどを利用して識別情報の読み取りを効率よくおこなうことができる。
【００２７】
本発明によれば、レジスタまたは貨幣処理機が、正常な入金がおこなわれたと判定した場合に、レジスタと貨幣処理機との間に設けた管理装置に対して正常な入金がおこなわれた旨を示す入金完了通知をおこない、管理装置は、貨幣を出金するレジスタまたは貨幣処理機から受け付けた出金情報を記憶しておき、貨幣を出金するレジスタまたは貨幣処理機から受け付けた出金情報を当該貨幣の入金先である貨幣処理機またはレジスタに転送し、貨幣の入金先である貨幣処理機またはレジスタから入金完了通知を受け付けた際に、記憶した出金情報を消し込むよう制御するよう構成したので、レジスタと貨幣処理機との間に設けた管理装置を用いて操作員によって運搬される貨幣と別ルートで貨幣の入出金を管理し、もって人手を介した貨幣の受け渡しに伴う不正やミスを防止することができる。
【００２８】
本発明によれば、レジスタが、両替用の貨幣を出金する際に該貨幣の出金金額、当該レジスタの識別情報、当該レジスタを操作する操作員の識別情報並びに両替後の貨幣金種を含む両替依頼情報を管理装置に通知し、管理装置は、レジスタから通知された両替依頼情報を記憶するとともにこの両替依頼情報を貨幣処理機に対して転送し、貨幣処理機は、転送された両替依頼情報に含まれる操作員の識別情報と貨幣を入金する操作員の識別情報が一致し、かつ、両替依頼情報に含まれる出金金額と操作員によって入金された貨幣の入金金額とが一致する場合に、正常な入金がおこなわれたものと判定して両替依頼情報に含まれる両替後の貨幣金種の貨幣を払い出し、両替後に貨幣処理機による両替後の貨幣の出金金額、、貨幣処理機から両替後の貨幣の出金を受ける操作員の識別情報および該貨幣の入金先のレジスタの識別情報を含む両替金出金情報を管理装置に対して通知する。この通知を受けた管理装置は、通知された両替金出金情報を両替依頼情報に対応づけて記憶するとともに両替金出金情報をレジスタに対して転送し、レジスタは、管理装置から転送された両替金出金情報に含まれる操作員の識別情報と貨幣を入金する操作員の識別情報が一致し、かつ、両替金出金情報に含まれる出金金額と操作員によって入金された貨幣の入金金額とが一致する場合に、正常な入金がおこなわれたものと判定し、管理装置に対して入金完了通知をおこない、管理装置は、この入金完了通知を受け付けた際に、記憶した両替依頼情報および両替金出金情報を消し込むよう制御するよう構成したので、レジスタの貨幣を貨幣処理機で両替して両替後の貨幣をレジスタに戻す一連の処理をおこなう場合の不正やミスを防止することができる。
【００２９】
本発明によれば、レジスタが、貨幣処理機に要求する補充用貨幣の貨幣種別、貨幣枚数、当該レジスタを操作する操作員の識別情報および当該レジスタの識別情報を含む補充依頼情報を管理装置に通知し、管理装置は、通知された補充依頼情報を記憶するとともにこの補充依頼情報を貨幣処理機に対して転送し、貨幣処理機は、管理装置から転送された補充依頼情報に含まれる操作員の識別情報と貨幣を出金する操作員の識別情報が一致する場合に、転送された補充依頼情報に基づいて補充用貨幣を出金する。一方、レジスタは、操作員を介して補充用貨幣が入金された際に、該補充用貨幣の貨幣種別、貨幣枚数および当該レジスタの識別情報を含む消込依頼情報を管理装置に通知し、管理装置は、レジスタから消込依頼情報を受け付けた際に、該消込依頼情報に含まれる補充用貨幣の貨幣種別および貨幣枚数が記憶した補充依頼情報に含まれる貨幣種別および貨幣枚数と一致する場合に、補充依頼情報の消し込みをおこなうよう構成したので、レジスタの要求に応じて貨幣処理機から補充用貨幣を出金してレジスタに入金する一連の処理をおこなう場合の不正やミスを防止することができる。
【００３０】
本発明によれば、貨幣処理機内の貨幣の残高を管理しておき、両替依頼または補充依頼を受け付けた際に、これらに要する貨幣金種の貨幣が貨幣処理機内に存在しないと判定した場合には、レジスタに対して棄却通知をおこなうよう構成したので、両替または補充用の貨幣が不足する場合に、両替や補充ができないのにも係わらず操作員に両替作業や補充作業を強いる事態を未然に防止することができる。特に、店舗内に配設される貨幣処理機が収納し得る貨幣枚数は、銀行などに設置される貨幣処理機と異なりその枚数に制限を受けるため有用である。
【００３１】
本発明によれば、レジスタ内の貨幣の残高を管理しておき、両替依頼または補充依頼を受け付けた際に、これらに要する貨幣金種の貨幣が前記レジスタ内に収納可能でないと判定した場合には、レジスタに対して棄却通知をおこなうよう構成したので、両替または補充した貨幣がレジスタ内に収納し切れないという事態を未然に防止することができる。特に、店舗内に配設されるレジスタが収納し得る貨幣枚数は、銀行窓口などに設置される貨幣処理機と異なりその枚数に制限を受けるため有用である。
【００３２】
本発明によれば、レジスタが、貨幣を出金する際に該貨幣の出金金額、当該レジスタの識別情報および当該レジスタを操作する操作員の識別情報を含む入金依頼情報を管理装置に通知し、管理装置は、通知された入金依頼情報を記憶するとともにこの入金依頼情報を貨幣処理機に対して転送し、貨幣処理機は、通知された入金依頼情報に含まれる操作員の識別情報と前記貨幣を入金する操作員の識別情報が一致し、かつ、前記入金依頼情報に含まれる入金依頼金額と操作員によって入金された貨幣の入金金額とが一致する場合に、正常な入金がおこなわれたものと判定して、管理装置に対して入金完了通知をおこない、管理装置は、入金完了通知を受け付けた際に、記憶した入金依頼情報を消し込むよう制御するよう構成したので、レジスタ内の売上金を貨幣処理機に回収する一連の処理をおこなう場合の不正やミスを防止することができる。
【００３３】
本発明によれば、レジスタが、売上金回収用カセットを取り外す際に該売上金回収用カセット内の貨幣の金額、当該レジスタの識別情報および当該レジスタを操作する操作員の識別情報を含む入金依頼情報を管理装置に通知するとともに、売上金回収用カセットに付設したＩＣタグに当該レジスタの識別情報を格納制御し、管理装置は、レジスタから通知された入金依頼情報を記憶するとともにこの入金依頼情報を貨幣処理機に対して転送し、貨幣処理機は、管理装置から通知された入金依頼情報に含まれる操作員の識別情報と売上金回収用カセットを装着する操作員の識別情報が一致し、かつ、出金情報に含まれるレジスタの識別情報と操作員によって装着された売上金回収用カセットに付設されたＩＣタグから読み取ったレジスタの識別情報とが一致する場合に、正常な入金がおこなわれたものと判定し、管理装置に対して入金完了通知をおこない、管理装置は、この入金完了通知を受け付けた際に、記憶した入金依頼情報を消し込むよう構成したので、売上金回収用カセットを用いてレジスタの売上金を貨幣処理機に回収する一連の処理をおこなう場合の不正やミスを防止することができる。
【００３４】
本発明によれば、貨幣処理機内の貨幣の残高を管理しておき、売上金入金依頼を受け付けた際に、これらに要する貨幣金種の貨幣が貨幣処理機内に収納可能でないと判定した場合には、レジスタに対して棄却通知をおこなうよう構成したので、貨幣処理機内に売上金を収納し切れないにも係わらず操作員が売上金の収納作業をおこなうという事態を未然に防止することができる。特に、店舗内に配設される貨幣処理機が収納し得る貨幣枚数は、銀行窓口などに設置される貨幣処理機と異なりその枚数に制限を受けるため有用である。
【発明を実施するための最良の形態】
【００３５】
以下に添付図面を参照して、スーパーマーケットなどの流通店舗に対して本発明に係る資金管理システムを適用した場合の好適な実施例を説明する。なお、以下では、まず各実施例に共通する本発明に係る資金管理システムの概要および特徴を説明した後に、両替をおこなう場合（実施例１）、補充をおこなう場合（実施例２）、現金で売上金集金をおこなう場合（実施例３）、カセットを用いて売上金集金をおこなう場合（実施例４）についてそれぞれ説明することとする。
【００３６】
（概要および特徴）
まず、本発明に係る資金管理システムの概要について説明する。図１は、本発明に係る資金管理システムを採用した店舗内の概略構成を示す図である。店舗内には、商品を陳列する売場とこの売場から独立した事務所および入金ルームとが設けられる。そして、売場には商品の精算処理をおこなう各レジにレジスタ２０がそれぞれ設けられ、事務所および入金ルームには両替補充機３０、売上金入金機４０および管理装置１０が設けられる。
【００３７】
レジスタ２０は、レジ係員（操作員）によって操作されるＰＯＳ対応の現金処理機であり、バーコードリーダやＰＯＳデータ送信部などのＰＯＳ関連処理をおこなう機能部と、レジ係員を識別するＩＤカードの読み取り（リード）を行なう入力部と、現金を収納するドロアを含む貨幣処理機と、貨幣の入出金制御などをおこなう制御部とを有する。レジ係員は、担当するレジにおいてレジ業務を開始する場合には、まず、レジ係員を識別する担当者ＩＤが記録されたＩＤカードをレジスタ２０にリードさせる。レジ係員が顧客により購入される各種商品の精算をおこなう際には、レジ係員は商品に付されたバーコードをバーコードリーダで読み取って顧客から代金を受け取り、必要な釣り銭を貨幣収納部から取り出して顧客に返金する。この場合、レシートには登録された担当者ＩＤに対応する担当者名があわせて出力される。また、貨幣収納部内の釣り銭が不足した場合には、レジ係員が両替補充機３０により貨幣の両替または出金を受けて釣り銭を補充する。さらに、閉店時などの締め時には、レジ係員がレジスタ２０から翌日の釣り銭用貨幣を除いた売上金を出金し、これを売上金入金機４０に入金する。なお、本発明では、ＰＯＳ関連処理をおこなう機能部については発明の特徴と直接的な関係がないため、ここではその詳細な説明を省略する。
【００３８】
両替補充機３０は、主としてレジスタ２０内に釣り銭が不足したような場合に備えて設けられた貨幣処理機であり、高額紙幣を指定された貨幣に両替する両替処理および入金なしに指定された貨幣を指定枚数出金する補充処理をおこなう。売上金入金機４０は、レジ係員が持参した各レジスタ２０の売上金を受け付けて収納部に収納する貨幣処理機であり、レジ係員が現金で売上金を入金する場合と、売上金収納カセットで入金する場合の両方に対応できる。レジ係員が両替・補充または売上金入金をおこなう場合には、これらの両替補充機３０および売上金入金機４０とレジスタ２０との間を貨幣とＩＤカードを持参して移動し、両替・補充または売上金入金をおこなうことになる。
【００３９】
管理装置１０は、各レジスタ２０と両替補充機３０または売上金入金機４０との間に介在する装置であり、主として両替、補充および売上金入金に係る処理をおこなう。具体的には、レジ係員により両替、補充および売上金入金がおこなわれたならば、これらの処理が適正に完了するまでその事実をこの管理装置１０で管理することにより、レジ係員によるミスや不正を防止することとしている。なお、ここでは説明の便宜上、管理装置１０と、各レジスタ２０、両替補充機３０および売上金入金機４０とがそれぞれ接続された場合を示しているが、これらをＬＡＮ（Local Area Network）で接続しても良い。
【００４０】
次に、本発明に係る資金管理システムの特徴について説明する。すでに説明したように、従来よりスーパーマーケットなどの店舗には、レジスタ２０、両替補充機３０および売上金入金機４０がそれぞれ設けられており、釣り銭が不足する場合にはレジ係員が両替補充機３０に赴いて両替または出金を受けてレジスタ２０に収納し、締め時にはレジスタ２０の売上金を売上金入金機４０に入金することになる。
【００４１】
しかしながら、かかる現金処理機間（たとえばレジスタ２０と両替補充機３０の間）での貨幣の受け渡しを人手を介しておこなうとなると、レジ係員が貨幣を持ち歩く際の不正やミスが問題となる。特に、店舗に配設されるレジスタ２０は、銀行などに配設される現金処理機と異なり大量の貨幣を収納できないために、両替や補充の頻度が多くなる可能性があるので、かかる不正やミスが生じやすい。
【００４２】
そこで、本発明に係る資金管理システムでは、レジ係員を特定するＩＤカードを貨幣とともに各レジ係員に携行させ、ＩＤカードを各入出金装置にリードさせなければ、入出金を許可しない構成とするとともに、レジ係員が人手で入出金する貨幣とは別に両替、補充または現金入金に係る情報を管理装置１０に送信して管理装置１０がこれを管理し、受け渡しが正常に完了した時点でかかる情報を消し込むよう構成することにより、レジ係員が貨幣を持ち歩く際の不正やミスを防止している。
【００４３】
なお、以下の実施例においては、レジスタ２０を担当するレジ員が、両替依頼から両替完了まで、補充依頼から補充完了まで、および入金依頼から入金完了までの一連の資金処理を行なうことを前提に、一連の資金処理をレジスタ２０に登録済みの担当者ＩＤで管理する構成とした。しかしながら、レジスタ２０を担当するレジ員以外の担当者が、一連の資金処理を行なう場合には、両替依頼、補充依頼および入金依頼をおこなった担当者ＩＤで管理する構成とすることもできる。
【実施例１】
【００４４】
本実施例１では、図１に示した両替補充機３０を用いて貨幣の両替処理をおこなう場合に本発明を適用した場合について説明する。まず、レジ係員による貨幣の入出金動作について説明する。かかる両替処理をおこなう場合には、レジ係員は、レジスタ２０から両替用貨幣（たとえば１万円札）を出金し、これを持参して両替補充機３０に赴く。そして、レジ係員は、この両替用紙幣を両替補充機３０に入金するとともに、両替後の貨幣金種（たとえば５００円硬貨）を選択して、５００円硬貨２０枚の出金を受ける。その後、レジ係員は、出金を受けた貨幣を持参してレジスタ２０に戻り、両替した貨幣（たとえば５００円硬貨２０枚）をレジスタ２０内に入金（収納）することになる。このように、両替をおこなう場合には、レジスタ２０からの出金、両替補充機３０への入金、両替補充機３０からの出金、レジスタ２０への入金という入出金行為を経て両替作業が完了するため、本実施例１では、レジスタ２０からの出金〜レジスタ２０への入金までを管理装置１０にて管理することとする。
【００４５】
図２は、本実施例１に係る資金管理システムのシステム構成を示す機能ブロック図である。同図に示すように、貨幣の両替をおこなう場合には、レジスタ２０、管理装置１０および両替補充機３０が関与することになる。
【００４６】
レジスタ２０は、インターフェース部（Ｉ／Ｆ）２１、入力部２２、表示部２３、印字部２４、制御部２５および貨幣処理機２６を有する。なお、すでに説明したように、ＰＯＳ関連処理をおこなうバーコードリーダなどについては図示省略する。
【００４７】
インターフェース部（Ｉ／Ｆ）２１は、管理装置１０とのデータ送受信をおこなうための入出力部であり、入力部２２は、レジ係員からの入力操作を受け付けるキーボード、マウスおよびトラックボールなどのインターフェースである。この入力部２２をテンキーなどで形成する場合には、両替を示す特定のキーや金種を示すキーなどについても設けておく必要がある。
【００４８】
表示部２３は、商品の販売代金および商品の取引明細を表示する液晶パネルやディスプレイなどの表示デバイスであり、印字部２４は、商品取引に係る明細（レシート）を印字出力するプリンタなどの出力デバイスである。貨幣処理機２６は、現金を収納するドロアを含む貨幣関連処理をおこなう処理機である。
【００４９】
制御部２５は、レジスタ２０の全体制御をおこなう処理部であり、担当者ＩＤ登録部２５ａと、担当者ＩＤ認識部２５ｂと、判定部２５ｃと、両替依頼処理部２５ｄと、出金受付部２５ｅと、入金受付部２５ｆと、入金完了通知部２５ｇとを有する。なお、ここでは説明の便宜上、本来レジスタ２０がおこなう商品の精算処理をつかさどる精算処理部については図示省略している。
【００５０】
担当者ＩＤ登録部２５ａは、レジスタ２０を担当するレジ係員の担当者ＩＤを保持する。担当者ＩＤを保持する理由は、レジの担当者は交代制であることが通常であるため、レジスタ２０の担当者を明確にしておく必要があるからである。レジ係員は自己が受け持つレジで業務を開始するに先立って、自己のＩＤカードを入力部２２にリードさせ、本登録部が担当者ＩＤを保持する。
【００５１】
担当者ＩＤ認識部２５ｂは、レジスタ２０において両替依頼および両替済貨幣の入金をするレジ員の担当者ＩＤを保持する。該担当者ＩＤを保持する理由は、両替依頼および両替済貨幣の入金をするレジ係員を明確にするためである。レジ係員は両替処理および両替済貨幣の入金を行なうにあたり、自己のＩＤカードを入力部２２リードさせ、本認識部が担当者ＩＤを保持する。
【００５２】
判定部２５ｃは、管理装置１０から受け付けた両替金出金データに基づいて両替貨幣として入金された貨幣が正しいか否かを判定する処理部である。具体的には、両替補充機３０から両替した貨幣が出金された場合には、その出金金種、出金枚数およびレジスタＩＤを含む両替金出金データが管理装置１０を介してレジスタ２０に転送されるため、入金された貨幣の貨幣金種および貨幣枚数が正しいか否かを判定することになる。さらに、判定部２５ｃは、担当者ＩＤ登録部２５ａに保持されている担当者ＩＤと、担当者ＩＤ認識部２５ｂに保持されている担当者ＩＤとが、一致するか否かを判定する処理部でもある。
【００５３】
両替依頼処理部２５ｄは、レジスタ２０から両替用貨幣（たとえば１万円）を出金した際に、管理装置１０に対して両替依頼データを送信して両替依頼をおこなう処理部である。ここで、この両替依頼データには、担当者ＩＤ、出金金額、レジスタＩＤおよび両替金種が含まれており、たとえばレジスタＩＤ１２３のレジスタ２０において、担当者ＩＤ１２３４５６７の担当者が、１万円札を５００円硬貨２０枚に両替したい場合には、担当者ＩＤ１２３４５６７、出金金額１万円、レジスタＩＤ１２３、両替金種５００円というデータを含む両替依頼データを管理装置１０に対して送信することになる。なお、出金金額および両替金種は、レジスタ２０のキーを用いて入力する。
【００５４】
出金受付部２５ｅは、両替についての、貨幣の出金を受付ける。具体的には、両替依頼処理部２５ｄにおいて、レジスタ２０のキーを用いて入力された、出金金額および両替金種に応じた貨幣を出金し、レジ員が貨幣を受け取る。
【００５５】
入金受付処理部２５fは、貨幣の入金を受付処理する処理部である。なお、この入金受付処理部２５fは、顧客が購入する商品を精算処理するための貨幣と両替補充機３０により両替された貨幣とを区別して入金受付する。その理由は、いくらの両替貨幣が入金されたのかを明らかにするためである。たとえば、レジスタ２０の貨幣投入口に貨幣が投入された際に、該貨幣を貨幣処理機２６に搬送して貨幣金種ごとに収納する機構が設けられている場合には、レジスタ２０上の特定のキー（両替後の入金を示すキー）を押した後に貨幣投入口に貨幣が投入された時点で、この入金貨幣を両替貨幣として入金受付する。一方、レジスタ２０に単なるドロアしか設けられておらず、このドロア内にレジ係員が貨幣を収納する場合には、レジスタ２０から特定のキーを押した後にキー入力された貨幣金種および貨幣枚数を入金受付処理する。
【００５６】
入金完了通知部２５ｇは、判定部２５ｃにより入金貨幣が正しいと判定された場合に、管理装置１０に対して入金完了データを送信する処理部である。かかる入金完了データを管理装置１０に送信する理由は、後述する管理装置１０での消し込みを可能にするためである。なお、判定部２５ｃにより入金貨幣が正しくないと判定された場合には、「入金貨幣が正しくない」等の表示を表示部２３に表示するエラー処理をおこなう。
【００５７】
次に、管理装置１０の構成について説明する。図２に示したように、この管理装置１０は、入力部１１、表示部１２、記憶部１３、制御部１４およびインターフェース部（Ｉ／Ｆ）１５を有する。
【００５８】
入力部１１は、管理者からの入力操作を受け付けるキーボード、マウスおよびトラックボールなどのインターフェースであり、表示部１２は、管理状況などを表示する液晶パネルやディスプレイなどの表示デバイスである。記憶部１３は、両替依頼データ１３ａを記憶するハードディスクなどの記憶媒体であり、インターフェース部（Ｉ／Ｆ）１５は、レジスタ２０および両替補充機３０との間でデータ授受するための入出力部である。
【００５９】
制御部１４は、管理装置１０の全体制御をおこなう制御部であり、データ転送処理部１４ａと消込制御部１４ｂとを有する。データ転送処理部１４ａは、レジスタ２０と両替補充機３０の間のデータ転送をおこなう処理部であり、記憶部１３へのデータの読み書きをもおこなう。具体的には、レジスタ２０から両替依頼データ１３ａを受信したならば、この両替依頼データ１３ａを記憶部１３に格納するとともに、両替補充機３０に転送する。また、両替補充機３０から両替金出金データ１３ｂを受信したならば、この両替金出金データ１３ｂを記憶部１３に記憶した両替依頼データ１３ａと対応づけて記憶するとともに、該両替金出金データ１３ｂをレジスタ２０に対して転送する。さらに、両替補充機３０から入金完了データを受信したならば、この入金完了データを消込制御部１４ｂに対して転送する。
【００６０】
消込制御部１４ｂは、レジ係員がレジスタ２０への両替貨幣の入金を終えた両替依頼データ１３ａおよび両替金出金データ１３ｂの消し込みをおこなう制御部である。具体的には、貨幣の受け渡しを両替補充機３０から入金完了データを受信した場合に、記憶部１３に記憶した該当する両替依頼データ１３ａおよび両替金出金データ１３ｂを消去する。このため、記憶部１３にはレジスタ２０への両替貨幣の入金途中の両替依頼データ１３ａおよび両替金出金データ１３ｂのみが蓄積されることになる。したがって、一定期間消し込みがされない両替依頼データ１３ａおよび両替金出金データ１３ｂが記憶部１３に滞留する場合には、何らかの不正またはミスが生じた可能性があるとみなして、表示部１２に表示することができる。
【００６１】
次に、両替補充機３０の構成について説明する。図２に示したように、この両替補充機３０は、表示部３１、制御部３２、貨幣処理機３３およびインターフェース部（Ｉ／Ｆ）３５とを有する。なお、ここでは両替金種を両替依頼データとして送信することとしたので入力部を設けていないが、両替金種の入力または管理者による入力用の入力部を設けることもできる。
【００６２】
表示部３１は、両替状況などを表示する液晶パネルやディスプレイなどの表示デバイスであり、貨幣処理機３３は、現金を収納するドロアを含む貨幣関連処理をおこなう処理機であり、インターフェース部（Ｉ／Ｆ）３５は、管理装置１０との間のデータ授受をおこなうための入出力部である。
【００６３】
制御部３２は、両替補充機３０を全体制御する制御部であり、担当者ＩＤ認識部３２ａ、判定部３２ｂ、入金受付処理部３２ｃ、両替処理部３２ｄおよび両替金出金通知部３２ｅを有する。担当者ＩＤ認識部３２ａは、レジ係員が両替補充機３０にリードさせたＩＤカードから担当者ＩＤを抽出し保持する。
【００６４】
判定部３２ｂは、入金受付処理部３２ａで受付処理した貨幣の金額と管理装置１０を介してレジスタ２０から受け付けた両替依頼データ１３ａに含まれる出金金額（レジスタ２０からの出金金額）とを比較して両者が一致するか否かを判定する処理部である。具体的には、両者が一致する場合には、入金受付処理部３２ａで受付処理した貨幣が正しいものと判定して両替処理部３２ｃに両替指示をおこない、両者が一致しない場合にはエラー処理をおこなう。また、判定部３２ｂは、管理装置１０を介してレジスタ２０から受け付けた両替依頼データ１３ａに含まれる担当者ＩＤと、担当者ＩＤ認識部３２ａが保持する担当者ＩＤとを比較して両者が一致するか否かを判定する処理部でもある。具体的には、両者が一致する場合には、レジ係員による入金の受付を許可し、両者が一致しない場合にはエラー処理を行なう。
【００６５】
入金受付処理部３２ｃは、両替用としてレジスタ２０から出金された両替用貨幣（たとえば１万円札）を受付処理する処理部である。
【００６６】
両替処理部３２ｄは、判定部３２ｂから両替指示を受け付けた場合に、両替依頼データ１３ａに含まれる両替金種の貨幣を入金受付処理部３２ｃで受付処理した貨幣の金額分出金する処理部である。たとえば、入金受付処理部３２ｃで受付処理した貨幣が１万円札であり、両替依頼データ１３ａの両替金種が５００円である場合には、５００円硬貨２０枚を両替金として出金処理する。具体的には、かかる両替処理部３２ｄは、貨幣処理機３３に対して５００円硬貨２０枚の出金指示をおこなうことになる。
【００６７】
両替金出金通知部３２ｅは、両替処理部３２ｃの出金指示に応じて貨幣処理機３３が両替金の出金をおこなった後に、出金金種、出金枚数およびレジスタＩＤを含む両替金出金データ１２ｂを管理装置１０に対して送信する処理部である。かかる両替金出金データ１２ｂを送信する理由は、レジ係員が両替金をレジスタ２０へ入金する場合の不正やミスを防ぐためである。
【００６８】
次に、図２に示したレジスタ２０、管理装置１０および両替補充機３０の処理手順について説明する。図３は、図２に示したレジスタ２０、管理装置１０および両替補充機３０の処理手順を示すフローチャートであり、図４−１〜図４−４は、レジ係員が両替をおこなう場合の概要およびその時点で受け渡されるデータの概要を示す図である。
【００６９】
なお、図４−１〜図４−４の前提条件として、レジスタ２０においては、担当者ＩＤの登録（ステップＳ１０１）が既になされているものとする。具体的には、レジを担当するレジ員は、レジ業務開始に先立って自己が所持するＩＤカードをレジスタ２０にリードさせ、担当者ＩＤの登録（ステップＳ１０１）において担当者ＩＤが保持される。
【００７０】
図４−１に示したように、レジ係員は自己を識別するＩＤカードを所持しており、両替依頼をする場合にはレジスタ２０において所定の操作を行い、ＩＤカードをレジスタ２０にリードさせる。そうすると、担当者ＩＤ認識（ステップＳ１０２）がおこなわれ、当該両替依頼を行なったレジ員の担当者ＩＤが保持される。そして、レジスタ２０にあらかじめ登録されているレジ員の担当者ＩＤと両替依頼を行なったレジ員の担当者ＩＤを比較して両者が一致するか否かを判定する（ステップＳ１０３）。レジスタ２０を担当するレジ員により両替依頼が行なわれた場合（ステップＳ１０３肯定）には、レジスタ２０の両替依頼処理部２５ｂは、管理装置１０に対して両替依頼データ（担当者ＩＤ、出金金額、レジスタＩＤおよび両替金種）１３ａを送信する（ステップＳ１０４）とともに、レジ係員に対して両替用の貨幣を出金する（ステップＳ１０５）。そして、ＩＤカードを所持したレジ係員は、出金された貨幣を持参して両替補充機３０に赴く。一方、レジスタ２０を担当するレジ員以外のレジ員により両替依頼が行なわれた場合には（ステップ１０３否定）、表示部２３にエラー表示をするなどのエラー処理を行なうとともに、両替依頼を許可しない。
【００７１】
この両替依頼データ１３ａを受信した管理装置１０は、データ転送処理部１４ａにより両替依頼データ１３ａを記憶部１３に格納した後に（ステップＳ１０６）、図４−２に示したように、この両替依頼データ１３ａを両替補充機３０に対して転送する（ステップＳ１０７）。
【００７２】
そして、出金された貨幣を持参して両替補充機に赴いたレジ係員は、所持するＩＤカードを両替補充機３０にリードさせる。そうすると、担当者ＩＤ認識（ステップＳ１０８）がおこなわれ、当該リード処理をおこなったレジ員の担当者ＩＤが保持される。そして、両替依頼データ１３ａの担当者ＩＤと当該リード処理をおこなったレジ員の担当者ＩＤを比較して両者が一致するか否かを判定する（ステップＳ１０９）。両担当者ＩＤが一致する場合、すなわち、レジスタ２０において両替依頼をおこなったレジ係員本人であると確認された場合には入金が許可され（ステップＳ１０９肯定）、レジ係員は、持参した両替用貨幣を両替補充機３０に入金する（ステップＳ１１０）。一方、レジスタ２０において入金依頼をおこなったレジ係員と異なるレジ係員と確認された場合には（ステップ１０９否定）、表示部３１にエラー表示をするなどのエラー処理（ステップＳ１１４）をおこなうとともに、入金を許可しない。
【００７３】
そして、両替補充機３０の入金受付処理部３２ｃが、かかる両替用貨幣を入金処理したならば（ステップＳ１１０）、判定部３２ｂが、両替依頼データ１３ａに含まれる出金金額と入金受付処理部３２ｃが受付処理した貨幣の金額とを比較して両者が一致するか否かを判定する（ステップＳ１１１）。そして、両者が一致しない場合には（ステップＳ１１１否定）、表示部３１にエラー表示をする等のエラー処理をおこない（ステップＳ１１４）、両者が一致する場合には（ステップＳ１１１肯定）、両替処理部３２ｄにより両替処理をおこない（ステップＳ１１２）、両替金出金通知部３２ｅが管理装置１０に対して両替金出金データ１３ｂを送信する。
【００７４】
ＩＤカードを所持したレジ係員は、出金された両替貨幣を持参してレジスタ２０に赴く。図４―３では、金種５００円、枚数２０枚、レジスタＩＤ１２３を含む両替金出金データ１３ｂを管理装置１０に送信した場合を示している。
【００７５】
そして、管理装置１０が両替金出金データ１３ｂを受信したならば、データ転送処理部１４ａがこの両替金出金データ１３ｂを同じレジスタＩＤを持つ両替依頼データ１３ａと対応づけて記憶部に記憶するとともに（ステップＳ１１５）、該両替金出金データ１３ｂをレジスタ２０に対して転送する（ステップＳ１１６）。
【００７６】
そして、レジスタ２０がこの両替金出金データ１３ｂを受信した後に、ＩＤカードと出金された両替貨幣を持参したレジ係員が、ＩＤカードをレジスタ２０にリードさせたならば、担当者ＩＤ認識（ステップＳ１１７）がおこなわれ、認識された担当者ＩＤと両替レジスタ２０にあらかじめ登録されているレジ員の担当者ＩＤを比較して両者が一致するか否かを判定する（ステップＳ１１８）。両者が一致しない場合には、表示部２３にエラー表示を行なうとともにレジ係員の入金を許可しない。一方、両者が一致した場合には（ステップＳ１１８肯定）、レジ係員に入金を許可する。そして、入金受付処理部２５ａが両替金の入金を受け付けたならば（ステップＳ１１９）、判定部２５ｃは、入金受付処理部２５ｆが受け付けた入金金種×入金枚数（入金金額）と両替金出金データ１３ｂに含まれる出金金種×出金枚数（出金金額）とを比較して、両者が一致するか否かを判定する（ステップＳ１２０）。その結果、両者が一致しない場合には（ステップＳ１２０否定）エラー処理をおこない、両者が一致する場合には（ステップＳ１２０肯定）少なくともレジスタＩＤを含む入金完了データを図４―４に示したように管理装置１０に対して送信する（ステップＳ１１４）。
【００７７】
そして、管理装置１０がこの入金完了データを受信したならば、消込制御部１４ｂがこの入金完了データに対応する両替依頼データ１３ａおよび両替金出金データ１３ｂを記憶部１３から削除する消し込み処理をおこなう（ステップＳ１２３）。
【００７８】
上記一連の処理をおこなうことにより、レジスタ２０への両替金の入金が適正に完了するまでは、管理装置１０の記憶部１３に両替依頼データ１３ａおよび両替金出金データ１３ｂが残るため、どのレジスタ２０において不正やミスが発生したかを把握することができる。
【００７９】
上述してきたように、本実施例１では、レジスタ２０から両替金を出金する時点で両替依頼データ１３ａを管理装置１０の記憶部１３に格納し、両替補充機３０はこの両替依頼データ１３ａに基づく適正な入金がおこなわれた場合には、両替金の出金をおこなうとともに両替金出金データ１３ｂを管理装置１０に送信し、この両替金出金データ１３ｂを受信したレジスタ２０は、両替金出金データ１３ｂに基づく適正な入金がおこなわれた場合には入金完了データを管理装置１０に送信し、管理装置１０が該当する両替依頼データ１３ａおよび両替金出金データ１３ｂの消し込み処理をおこなうよう構成したので、レジ係員が両替補充機３０に貨幣を入金して両替金を出金し、出金した両替用貨幣をレジスタ２０に入金する場合に、レジスタ２０および両替補充機３０の入出金を正確に把握することができる。あわせて、本実施例１では、レジ係員は自己の担当者ＩＤを格納したＩＤカードを所持することとし、当該ＩＤカードを使用してレジスタ２０にはあらかじめレジを担当するレジ係員の担当者ＩＤを登録し、両替処理に伴うレジスタ２０における両替依頼、両替補充機３０における両替用貨幣の入金、およびレジスタ２０における両替済貨幣の入金の際に、担当者ＩＤの一致を条件に補充依頼および貨幣の入出金を許可するよう構成したので、レジ係員とともに移動する貨幣の所在を正確に把握し、もって人手を介した貨幣の両替に伴う不正やミスを防止することができる。
【実施例２】
【００８０】
本実施例２では、図１に示した両替補充機３０を用いて貨幣の補充処理をおこなう場合に本発明を適用した場合について説明する。ここで言う補充とは、上記実施例１で示した両替とは異なり、両替補充機３０に貨幣を入金することなく出金することを指している。まず、レジ係員による貨幣の入出金動作について説明する。かかる補充処理をおこなう場合には、レジ係員は、レジスタ２０から両替補充機３０に赴き、この両替用紙幣から補充用貨幣の出金を受ける。その後、レジ係員は、出金を受けた貨幣を持参してレジスタ２０に戻り、補充用貨幣をレジスタ２０内に入金（収納）することになる。このように、補充をおこなう場合には、両替補充機３０からの出金、レジスタ２０への入金という入出金行為を経て補充作業が完了するため、本実施例２では、両替補充機３０からの出金〜レジスタ２０への入金までを管理装置１０にて管理することとする。
【００８１】
図５は、本実施例２に係る資金管理システムのシステム構成を示す機能ブロック図である。同図に示すように、貨幣の補充をおこなう場合には、レジスタ２０、管理装置１０および両替補充機３０が関与することになる。なお、実施例１に示した機能部と同様の機能を有する機能部については同一符号を付すこととしてその詳細な説明を省略する。
【００８２】
レジスタ２０は、インターフェース部（Ｉ／Ｆ）２１、入力部２２、表示部２３、印字部２４、制御部２５および貨幣処理機２６を有しており、この制御部２５は、補充依頼処理部２５ｈおよび補充完了通知部２５ｉを備えている。なお、制御部２５の構成以外は実施例１のものと同様の機能部であるため、ここではその説明を省略する。
【００８３】
補充依頼処理部２５ｈは、レジスタ２０から貨幣の補充を両替補充機３０に依頼する場合に機能する処理部であり、具体的には、担当者ＩＤ、補充金額、補充枚数およびレジスタＩＤを含む補充依頼データを管理装置１０に送信する。
【００８４】
補充完了通知部２５ｉは、両替補充機３０から出金された補充用貨幣をレジスタ２０内に補充完了した旨を管理装置１０に通知する処理部であり、具体的には、補充完了データを管理装置１０に対して送信する。
【００８５】
管理装置１０は、入力部１１、表示部１２、記憶部１３、制御部１４およびインターフェース部（Ｉ／Ｆ）１５を有する。制御部１４は、データ転送処理部１４ａ、消込制御部１４ｂおよび判定部１４ｃを有する。
【００８６】
データ転送処理部１４ａは、図２で説明した実施例１のものとほぼ同様に機能するが、記憶部１３に記憶するデータは、両替依頼データ１３ａではなく補充依頼データ１３ｃとなる。消込制御部１４ｂは、図２で説明した実施例１のものと同様に機能するが、判定部１４ｃからの判定結果に応じて消込制御を実行する点がやや異なる。
【００８７】
判定部１４ｃは、レジスタ２０から補充完了データを受信した場合に、その補充の適否を判定する処理部であり、具体的には、補充額が適正なものであるか否かを調べ、適切であれば消込制御部１４ｂに対して補充依頼データ１３ｂの消し込みをおこなうよう指示する。
【００８８】
このように、ここでは図２に示した実施例１と異なり判定部による判定処理をレジスタ２０側ではなく管理装置１０側でおこなうこととした。このため、レジスタ２０への入金が適正であるか否かを判断する判断部をレジスタ２０から除外している。ただし、図２に示した実施例１と同様にレジスタ２０側で判定をおこない、その判定結果に応じて管理装置１０が消し込みをおこなうよう制御しても構わない。
【００８９】
両替補充機３０は、表示部３１、制御部３２、貨幣処理機３３およびインターフェース部（Ｉ／Ｆ）３５とを有する。そして、この制御部３２は、出金処理部３２ｆと、出金完了通知部３２ｇとを備える。つまり、実施例１に示した両替と異なり、本実施例２が対象とする補充の場合には、両替補充機３０に対する入金行為が発生しないため、この入金に関連する処理が除外されている。
【００９０】
出金処理部３２ｆは、補充依頼データ１３ｃに含まれる補充金種の貨幣を補充枚数分出金する処理をおこなう処理部であり、出金完了通知部３２ｇは、出金が完了した場合に出金完了データを管理装置１０に対して送信する処理部である。
【００９１】
次に、図５に示したレジスタ２０、管理装置１０および両替補充機３０の処理手順について説明する。図６は、図５に示したレジスタ２０、管理装置１０および両替補充機３０の処理手順を示すフローチャートであり、図７−１〜図７−４は、レジ係員が補充をおこなう場合の概要およびその時点で受け渡されるデータの概要を示す図である。なお、実施例１と同様に、レジスタ２０においては、担当者ＩＤの登録（ステップＳ２０１）が既になされているものとする。
【００９２】
図７−１に示したように、レジ係員がレジスタ２０内の貨幣が不足したと判断したならば、レジ係員はレジスタ２０において所定の操作をおこない、自己が所持するＩＤカードをレジスタ２０にリードさせる。そうすると、担当者ＩＤ認識（ステップＳ２０２）がおこなわれ、当該補充依頼を行なったレジ員の担当者ＩＤが保持される。そして、レジスタ２０にあらかじめ登録されているレジ員の担当者ＩＤと補充依頼を行なったレジ員の担当者ＩＤを比較して両者が一致するか否かを判定する（ステップＳ２０３）。レジスタ２０を担当するレジ員により補充依頼が行なわれた場合（ステップＳ２０３肯定）には、補充依頼処理部２５ｅは、管理装置１０に対して補充依頼データ（補充金種、補充枚数およびレジスタＩＤ）１３ｃを送信する（ステップＳ２０１）。そして、ＩＤカードを所持したレジ係員は、両替補充機３０に赴く。一方、レジスタ２０を担当するレジ員以外のレジ員により補充依頼が行なわれた場合には（ステップ２０３否定）、表示部２３にエラー表示をするなどのエラー処理を行なうとともに、補充依頼を許可しない。
【００９３】
この補充依頼データ１３ｃを受信した管理装置１０は、データ転送処理部１４ａにより補充依頼データ１３ｃを記憶部１３に格納した後に（ステップＳ２０２）、図７−２に示したように、この補充依頼データ１３ｃを両替補充機３０に対して転送する（ステップＳ２０３）。そして、両替補充機に赴いたレジ係員は、所持するＩＤカードを両替補充機３０にリードさせる。そうすると、担当者ＩＤ認識（ステップＳ２０７）がおこなわれ、補充依頼データ１３ｃの担当者ＩＤと一致する場合、すなわち、レジスタ２０において補充依頼をおこなったレジ係員本人であると確認された場合には、出金処理（ステップＳ２０９）がおこなわれる。
【００９４】
両替補充機３０は、補充依頼データ１３ｃを受け付け、かつ、補充依頼をおこなったレジ係員本人であると確認したならば、出金処理部３２ｆが、補充依頼データ１３ｃに含まれる補充金種の貨幣を補充枚数分出金した後（ステップＳ２０９）、出金完了通知部３２ｇが管理装置１０に対して出金完了データを送信する（ステップＳ２１０）。この出金完了データには、補充用貨幣として出金された補充金種、補充枚数およびレジスタＩＤを含ませておく。
【００９５】
一方、両替補充機３０から出金された補充用貨幣は、図７−３に示したように、ＩＤカードを所持したレジ係員がレジスタ２０に持参する。レジ係員がＩＤカードをレジスタ２０にリードさせたならば、担当者ＩＤ認識（ステップＳ２１２）がおこなわれ、認識された担当者ＩＤと両替レジスタ２０にあらかじめ登録されているレジ員の担当者ＩＤを比較して両者が一致するか否かを判定する（ステップＳ２１３）。両者が一致しない場合には、表示部２３にエラー表示を行なうとともにレジ係員の入金を許可しない。一方、両者が一致した場合には（ステップＳ１１８肯定）、レジ係員に入金を許可する。
【００９６】
レジスタ２０が、かかる補充用貨幣の入金を受付処理したならば（ステップＳ２１４）、補充完了データを管理装置１０に対して送信する（ステップＳ２１５）。この補充完了データには、補充用貨幣として入金された補充金種、補充枚数およびレジスタＩＤを含ませておく。
【００９７】
そして、図７−４に示したように、管理装置１０が補充完了データを受信したならば、補充の適否を判定し（ステップＳ２１８）、補充額が正しい場合には（ステップＳ２１８肯定）、消し込み処理をおこない（ステップＳ２１９）、補充額が正しくない場合には（ステップＳ２１８否定）、エラー処理をおこなう（ステップＳ２２０）。具体的には、出金完了データに含まれる補充金種×補充枚数（出金金額）と、補充完了データに含まれる補充金種×補充枚数（入金金額）とを比較して両者が一致するか否かを判定し、両者が一致する場合には補充額が正しいと判定することになる。
【００９８】
上記一連の処理をおこなうことにより、レジスタ２０への補充金の入金が適正に完了するまでは、管理装置１０の記憶部１３に補充依頼データ１３ｃが残るため、どのレジスタ２０において不正やミスが発生したかを把握することができる。また、レジスタ２０における補充依頼、両替補充機３０における補充用貨幣の出金、およびレジスタ２０における補充用貨幣の入金の際に、ＩＤカードによりレジ員を確認する構成としたので、どのレジ員について不正やミスが発生したかを把握することができる。
【００９９】
上述してきたように、本実施例２では、レジスタ２０から補充依頼データ１３ｃを管理装置１０の記憶部１３に格納し、両替補充機３０はこの補充依頼データ１３ｃに基づく出金をおこなうとともに出金完了データを管理装置１０に送信し、レジスタ２０は、レジ係員による補充金の入金がおこなわれた場合には補充完了データを管理装置１０に送信し、管理装置１０が補充金の適否をチェックし、補充金が妥当である場合には、補充依頼データ１３ａの消し込み処理をおこなうよう構成したので、レジ係員が両替補充機３０から補充金を出金してレジスタ２０に入金する場合に、レジスタ２０および両替補充機３０の入出金を正確に把握することができる。
【０１００】
あわせて、本実施例２では、レジ係員は自己の担当者ＩＤを格納したＩＤカードを所持することとし、当該ＩＤカードを使用してレジスタ２０にはあらかじめレジを担当するレジ係員の担当者ＩＤを登録し、補充処理に伴うレジスタ２０における補充依頼、両替補充機３０における補充用貨幣の出金、レジ２０における補充用貨幣の入金の際に、担当者ＩＤの一致を条件に補充依頼および貨幣の入出金を許可するよう構成したので、レジ係員とともに移動する貨幣の所在を正確に把握し、もって人手を介した貨幣の補充に伴う不正やミスを防止することができる。
【実施例３】
【０１０１】
本実施例３では、図１に示したレジスタ２０内の売上金を現金のまま売上金入金機４０に入金する場合について説明する。売上金を入金する際には、レジ係員は、レジスタ２０に存在する貨幣のうちその後必要となる釣り銭を除いた貨幣（売上金）をレジスタ２０から出金し、レジ係員は、出金を受けた貨幣を持参して売上金入金機４０に赴き、売上金を売上金入金機４０に入金することになる。このように、売上金を入金する場合には、レジスタからの出金並びに売上金入金機４０への入金により売上金入金作業が完了するため、本実施例３では、レジスタ２０からの出金〜売上金入金機４０への入金までを管理装置１０にて管理することとする。
【０１０２】
図８は、本実施例３に係る資金管理システムのシステム構成を示す機能ブロック図である。同図に示すように、売上金の入金をおこなう場合には、レジスタ２０、管理装置１０および売上金入金機４０が関与することになる。なお、実施例１に示した機能部と同様の機能を有する機能部については同一符号を付すこととしてその詳細な説明を省略する。
【０１０３】
レジスタ２０は、インターフェース部（Ｉ／Ｆ）２１、入力部２２、表示部２３、印字部２４、制御部２５および貨幣処理機２６を有しており、この制御部２５は、入金依頼処理部２５ｊを有する。なお、入金依頼処理部２５ｊ以外の機能部は実施例１または実施例２のものと同様の機能部であるため、ここではその説明を省略する。
【０１０４】
入金依頼処理部２５ｊは、売上金を出金する際に売上金の入金を示す入金依頼データ１３ｄを管理装置１０に対して送信する処理部である。この入金依頼データ１３ｄは、売上金金額およびレジスタＩＤを有するデータである。かかる入金依頼データ１３ｄを送信する理由は、売上金入金機４０への売上金の入金時に適正な額の貨幣が入金されているか否かを判定するためである。
【０１０５】
管理装置１０は、入力部１１、表示部１２、記憶部１３、制御部１４およびインターフェース部（Ｉ／Ｆ）１５を有する。制御部１４は、データ転送処理部１４ａおよび消込制御部１４ｂを有する。このデータ転送処理部１４ａおよび消込制御部１４ｂは図２に示した実施例１と同様の処理をおこなうものであるが、記憶部１３には入金依頼データ１３ｄを格納し、転送対象となるデータについても入金依頼データ１３ｄとなる点でやや異なる。
【０１０６】
売上金入金機４０は、閉店時などの所定の締め時に各レジスタ２０に存在する売上金（翌日の釣り銭を除いたもの）の入金を受け付ける装置であり、表示部４１、制御部４２、貨幣収納部４３およびインターフェース部４４を有する。
【０１０７】
表示部４１は、売上金の入金状況などを表示するディスプレイや液晶パネルなどの表示デバイスであり、貨幣収納部４３は、売上金として入金された貨幣を収納する貨幣処理部であり、インターフェース部４４は、管理装置１０との間でデータ授受をおこなうための入出力部である。
【０１０８】
制御部４２は、売上金入金機４０の全体を制御する制御部であり、担当者ＩＤ識別部４２ａ、判定部４２ｂ、入金受付処理部４２ｃ、入金処理部４２ｄおよび入金完了通知部４２ｅを有する。担当者ＩＤ認識部３２ａは、レジ係員が売上金入金機にリードさせたＩＤカードから担当者ＩＤを取得し保持する。
【０１０９】
判定部４２ｂは、入金受付処理部４２ａから入金した売上金の金額と入金依頼データ１３ｄに含まれる売上金金額とを比較して、両者が一致するか否かを判定する処理部であり、両者が一致しない場合にはエラー処理をおこなう。
また、判定部４２ｂは、管理装置１０を介してレジスタ２０から受け付けた入金依頼データ１３ｄに含まれる担当者ＩＤと、担当者ＩＤ認識部４２ａが保持する担当者ＩＤとを比較して両者が一致するか否かを判定する処理部でもある。
【０１１０】
入金受付処理部４２ｃは、図２に示した実施例１の両替補充機３０が有する入金受付処理部３２ｃなどと同様の処理をおこなう処理部であり、売上金としての貨幣の入金処理をおこなう。
【０１１１】
入金処理部４２ｄは、判定部４２ｂにより金額が一致すると判定された場合に、入金受付処理部４２ｃから入金した売上金を正しい売上金であると認めて貨幣収納部４３に収納する処理をおこなう処理部である。
【０１１２】
入金完了通知部４２ｅは、入金処理部４２ｄによる売上金の入金処理が正常に終えた後に入金完了データを管理装置１０に対して送信する処理部である。かかる入金完了データを送信する理由は、管理装置１０での入金依頼データ１３ｄの消し込みを可能にするためである。
【０１１３】
次に、図８に示したレジスタ２０、管理装置１０および売上金入金機４０の処理手順について説明する。図９は、図８に示したレジスタ２０、管理装置１０および売上金入金機４０の処理手順を示すフローチャートであり、図１０−１〜図１０−２は、レジ係員が売上金の入金をおこなう場合の概要およびその時点で受け渡されるデータの概要を示す図である。なお、実施例１と同様に、レジスタ２０においては、担当者ＩＤの登録（ステップＳ３０１）が既になされているものとする。
【０１１４】
図１０−１に示したように、レジ係員がレジスタ２０内の売上金を売上金入金機４０に入金する場合には、レジ係員はレジスタ２０において所定の操作をおこない、自己が所持するＩＤカードをレジスタ２０にリードさせる。そうすると、担当者ＩＤ認識（ステップＳ３０２）がおこなわれ、当該入金依頼を行なったレジ員の担当者ＩＤが保持される。そして、レジスタ２０にあらかじめ登録されているレジ員の担当者ＩＤと入金依頼を行なったレジ員の担当者ＩＤを比較して両者が一致するか否かを判定する（ステップＳ３０３）。レジスタ２０を担当するレジ員により入金依頼が行なわれた場合（ステップＳ３０３肯定）には、入金依頼処理部２５ｊは管理装置１０に対して、担当者ＩＤ、出金金額およびレジスタＩＤを含む入金依頼データ１３ｄを送信する（ステップＳ３０４）とともに、レジ係員に対して売上金入金用の貨幣を出金する（ステップＳ３０５）。そして、ＩＤカードを所持したレジ係員は、売上金入金機４０に赴く。一方、レジスタ２０を担当するレジ員以外のレジ員により入金依頼が行なわれた場合には（ステップ３０３否定）、表示部２３にエラー表示をするなどのエラー処理（ステップＳ３０６）を行なうとともに、入金依頼を許可しない。
【０１１５】
この入金依頼データ１３ｄを受信した管理装置１０は、データ転送処理部１４ａにより入金依頼データ１３ｄを記憶部１３に格納した後に（ステップＳ３０７）、図１０−１に示したように、この入金依頼データ１３ｄを売上金入金機４０に対して転送する（ステップＳ３０４）。
【０１１６】
売上金入金機４０に赴いたレジ係員は、所持するＩＤカードを売上金入金機４０にリードさせる。そうすると、担当者ＩＤ認識（ステップＳ３０９）がおこなわれ、当該リード処理をおこなったレジ員の担当者ＩＤが保持される。そして、入金依頼データ１３ｄに含まれる担当者ＩＤと当該リード処理をおこなったレジ員の担当者ＩＤを比較して両者が一致するか否かを判定する（ステップＳ３１０）。両担当者ＩＤが一致する場合、すなわち、レジスタ２０において入金依頼を行なったレジ係員本人であると確認された場合には入金が許可され（ステップＳ３１０肯定）、レジ係員は、持参した売上金入金用貨幣を売上金入金機４０に入金する（ステップＳ３１１）。一方、レジスタ２０において入金依頼を行なったレジ係員と異なるレジ係員と確認された場合には（ステップＳ３１０否定）、表示部４１にエラー表示をするなどのエラー処理（ステップＳ３１５）をおこなうとともに、入金を許可しない。
【０１１７】
売上金入金機４０が、入金依頼データ１３ｄを受け付けるとともに、レジ係員が持参した売上金の入金を受け付けたならば、判定部４２ｂが、入金依頼データ１３ｄに含まれる売上金額と入金された売上金の金額とを比較し、両者が一致するか否かを判定する（ステップＳ３１２）。そして、両者が一致しない場合には（ステップＳ３１２否定）エラー処理をおこない（ステップＳ３１５）、両者が一致する場合には（ステップＳ３１２肯定）、入金処理部４２ｄが売上金の入金処理をおこなった後に（ステップＳ３１３）、図１０−２に示したように入金完了データを管理装置１０に対して送信する（ステップＳ３１４）。
【０１１８】
管理装置１０がこの入金完了データを受け付けたならば、消込制御部１４ｂが記憶部１３に記憶した入金依頼データの消し込み処理をおこなう（ステップＳ３１６）。
【０１１９】
上記一連の処理をおこなうことにより、レジスタ２０から出金した売上金が売上金入金機４０へ適正に入金されるまでは、管理装置１０の記憶部１３に入金依頼データ１３ｄが残るため、どのレジスタ２０において売上金入金時の不正やミスが発生したかを把握することができる。
【０１２０】
上述してきたように、本実施例３では、レジスタ２０からの売上金の出金時に該レジスタ２０から送信された入金依頼データ１３ｄを管理装置１０の記憶部１３に格納し、売上金入金機４０はこの入金依頼データ１３ｄに基づく売上金の入金をおこなうとともに入金完了データを管理装置１０に送信し、管理装置が入金依頼データ１３ｄの消し込み処理をおこなうよう構成したので、レジ係員がレジスタ２０から出金した売上金を売上金入金機４０へ入金する場合に、レジスタ２０および売上金入金機４０の入出金を正確に把握することができる。あわせて、レジスタ２０における入金依頼、売上金入金用貨幣の出金、および売上金入金機４０における売上金入金用貨幣の入金の際に、ＩＤカードによりレジ員を確認する構成としたので、どのレジ員について不正やミスが発生したかを把握することができ、もって、人手を介した貨幣の入金に伴う不正やミスを防止することができる。
【実施例４】
【０１２１】
本実施例４では、図１に示したレジスタ２０内の売上金を売上金回収用カセットを用いて売上金入金機４０に入金する場合について説明する。売上金を入金する際には、レジ係員は、レジスタ２０に存在する売上金回収用カセット２８をレジスタ２０から取り出し、レジ係員は、この売上金回収用カセット２８を持参して売上金入金機４０に赴き、売上金回収用カセット２８を売上金入金機４０に装着することになる。このように、売上金回収用カセット２８を用いて売上金を入金する場合には、レジスタからの売上金回収用カセット２８を取り外し並びに売上金入金機４０へ売上金回収用カセット２８の装着により売上金入金作業が完了するため、本実施例４では、レジスタ２０からの売上金回収用カセット２８の取り外し〜売上金入金機４０への売上金回収用カセット２８の装着までを管理装置１０にて管理することとする。
【０１２２】
図１１は、本実施例４に係る資金管理システムのシステム構成を示す機能ブロック図である。同図に示すように、売上金回収用カセット２８を用いて売上金の入金をおこなう場合には、レジスタ２０、管理装置１０および売上金入金機４０が関与することになる。なお、実施例３に示した機能部と同様の機能を有する機能部については同一符号を付すこととしてその詳細な説明を省略する。
【０１２３】
レジスタ２０は、インターフェース部（Ｉ／Ｆ）２１、入力部２２、表示部２３、印字部２４、制御部２５および貨幣処理機２６を有しており、この制御部２５は、ＩＣタグ書込処理部２５ｋを有する。なお、ＩＣタグ書込処理部２５ｋ以外の機能部は実施例３のものと同様の機能部であるため、ここではその説明を省略する。ＩＣタグ書込処理部２５ｋは、売上金回収用カセット２８に付設されたＩＣタグ２８ａに対してレジスタＩＤを格納する処理をおこなう。かかるレジスタＩＤをＩＣタグ２８ａに格納する理由は、売上金入金機４０に装着された売上金回収用カセット２８の適否を判定するためである。なお、ＩＣタグ書込処理部２５ｋ以外の機能部は、図８に示した実施例３と同様との処理をおこなうものである。
【０１２４】
管理装置１０は、入力部１１、表示部１２、記憶部１３、制御部１４およびインターフェース部（Ｉ／Ｆ）１５を有する。制御部１４は、データ転送処理部１４ａおよび消込制御部１４ｂを有する。このデータ転送処理部１４ａおよび消込制御部１４ｂは図８に示した実施例３と同様の処理をおこなうものである。
【０１２５】
売上金入金機４０は、閉店時などの所定の締め時に各レジスタ２０に装着された売上金回収用カセット２８を受け付ける装置であり、表示部４１、制御部４２、貨幣収納部４３およびインターフェース部４４を有する。制御部４２は、売上金入金機４０の全体を制御する制御部であり、担当者ＩＤ認識部４２ａ、判定部４２ｂ、入金受付処理部４２ｃ、入金処理部４２ｄ、入金完了通知部４２ｅおよびＩＣタグ読取処理部４２ｆを有する。なお、図示省略したが、この売上金入金機４０には、売上金回収用カセット２８を装着可能に構成されている。
【０１２６】
担当者ＩＤ認識部４２ａ、判定部４２ｂ、入金受付処理部４２ｃ、入金処理部４２ｄおよび入金完了通知部４２ｅは、図８に示した実施例３のものと同様の処理をおこなう機能部であり、売上金回収用カセット２８が対象となる点のみが異なる。ＩＣタグ読取処理部４２ｆは、売上金回収用カセット２８に付設されたＩＣタグ２８ａに記憶したレジスタＩＤを読み取る処理部である。ただし、本実施例４では、ＩＣタグ２８ａにレジスタＩＤのみを記憶することとしたが、売上金の金額をも書き込むようにすることもできる。ここでは、売上金回収用カセット２８からレジ係員が貨幣を取り出すことはできないとの前提に立って、レジスタＩＤのみを格納することとした。
【０１２７】
次に、図１１に示したレジスタ２０、管理装置１０および売上金入金機４０の処理手順について説明する。図１２は、図１１に示したレジスタ２０、管理装置１０および売上金入金機４０の処理手順を示すフローチャートであり、図１３−１〜図１３−２は、レジ係員が売上金回収用カセット２８を用いて売上金の入金をおこなう場合の概要およびその時点で受け渡されるデータの概要を示す図である。なお、実施例１と同様に、レジスタ２０においては、担当者ＩＤの登録（ステップＳ４０１）が既になされているものとする。
【０１２８】
図１３−１に示したように、レジ係員がレジスタ２０内の売上金を売上金入金機４０に入金する場合には、レジ係員はレジスタ２０において所定の操作をおこない、自己が所持するＩＤカードをレジスタ２０にリードさせる。そうすると、担当者ＩＤ認識（ステップＳ４０２）がおこなわれ、当該入金依頼を行なったレジ員の担当者ＩＤが保持される。そして、レジスタ２０にあらかじめ登録されているレジ員の担当者ＩＤと入金依頼を行なったレジ員の担当者ＩＤを比較して両者が一致するか否かを判定する（ステップＳ４０３）。レジスタ２０を担当するレジ員により入金依頼が行なわれた場合（ステップＳ４０３肯定）には、入金依頼処理部２５ｊは管理装置１０に対して、担当者ＩＤ、出金金額およびレジスタＩＤを含む入金依頼データ１３ｄを送信する（ステップＳ４０４）とともに、ＩＣタグ２８ａにレジスタＩＤを格納し（ステップＳ４０５）、レジ係員に対してレジスタ２０から売上金回収用カセット２８の取り外しを許可する。そして、ＩＤカードを所持したレジ係員は、売上金回収用カセット２８を持参して売上金入金機４０に赴く。一方、レジスタ２０を担当するレジ員以外のレジ員により入金依頼が行なわれた場合には（ステップ４０３否定）、表示部２３にエラー表示をするなどのエラー処理（ステップＳ４０６）を行なうとともに、入金依頼を許可しない。
【０１２９】
この入金依頼データ１３ｄを受信した管理装置１０は、データ転送処理部１４ａにより入金依頼データ１３ｄを記憶部１３に格納した後に（ステップＳ４０８）、図１３−１に示したように、この入金依頼データ１３ｄを売上金入金機４０に対して転送する（ステップＳ４０９）。
【０１３０】
売上金入金機４０に赴いたレジ係員は、所持するＩＤカードを売上金入金機４０にリードさせる。そうすると、担当者ＩＤ認識（ステップＳ４１０）がおこなわれ、当該リード処理をおこなったレジ員の担当者ＩＤが保持される。そして、入金依頼データ１３ｄに含まれる担当者ＩＤと当該リード処理をおこなったレジ員の担当者ＩＤを比較して両者が一致するか否かを判定する（ステップＳ４１１）。両担当者ＩＤが一致する場合、すなわち、レジスタ２０において入金依頼を行なったレジ係員本人であると確認された場合には、売上金回収用カセット２８の装着が許可され、レジ係員は、持参した売上金回収用カセット２８を売上金入金機４０に装着する（ステップＳ４１２）。一方、レジスタ２０において入金依頼を行なったレジ係員と異なるレジ係員と確認された場合には（ステップＳ４１１否定）、表示部４１にエラー表示をするなどのエラー処理（ステップＳ４１７）をおこなうとともに、入金を許可しない。
【０１３１】
売上金入金機４０が、入金依頼データ１３ｄを受け付けるとともに、レジ係員が持参した売上金回収用カセット２８が装着されたならば（ステップＳ４１２）、判定部４２ｂが、入金依頼データ１３ｄに含まれるレジスタＩＤと売上金回収用カセット２８のＩＣタグ２８ａから読み取ったレジスタＩＤとを比較し、両者が一致するか否かを判定する（ステップＳ４１４）。そして、両者が一致しない場合には（ステップＳ４１４否定）エラー処理をおこない（ステップＳ４１７）、両者が一致する場合には（ステップＳ４１４肯定）、入金処理部４２ｄが売上金回収用カセット２８から売上金を取得する入金処理をおこなった後に（ステップＳ４１５）、図１３−２に示したように入金完了データを管理装置１０に対して送信する（ステップＳ４１０）。
【０１３２】
管理装置１０がこの入金完了データを受け付けたならば、消込制御部１４ｂが記憶部１３に記憶した入金依頼データの消し込み処理をおこなう（ステップＳ４１８）。
【０１３３】
上記一連の処理をおこなうことにより、レジスタ２０から売上金回収用カセット２８を用いて出金した売上金が売上金入金機４０へ適正に入金されるまでは、管理装置１０の記憶部１３に入金依頼データ１３ｄが残るため、どのレジスタ２０において売上金入金時の不正やミスが発生したかを把握することができる。
【０１３４】
上述してきたように、本実施例４では、レジスタ２０から売上金回収用カセット２８を取り外す時にＩＣタグ２８ａにレジスタＩＤを格納するとともに、管理装置１０は該レジスタ２０から送信された入金依頼データ１３ｄを記憶部１３に格納し、売上金入金機４０は売上金回収用カセット２８を装着された際に、ＩＣタグ２８ａからレジスタＩＤを読み取って入金依頼データ１３ｄのレジスタＩＤと比較して売上金回収用カセット２８の適否を判定し、正しいと判定した場合に、売上金回収用カセット２８から売上金を入金するとともに入金完了データを管理装置１０に送信し、管理装置が入金依頼データ１３ｄの消し込み処理をおこなうよう構成したので、レジ係員が売上金回収用カセット２８を用いてレジスタ２０から出金した売上金を売上金入金機４０へ入金する場合に、レジスタ２０および売上金入金機４０の入出金を正確に把握することができる。また、レジスタ２０における入金依頼および売上金入金機における売上金回収用カセット２８の装着の際に、ＩＤカードによりレジ員を確認する構成としたので、どのレジ員について不正やミスが発生したかを把握することができ、もって、人手を介した貨幣の入金に伴う不正やミスを防止することができる。
【０１３５】
なお、上記実施例１〜４では、レジスタ２０〜両替補充機３０間の両替・補充、レジスタ２０〜売上金入金機４０間の売上金の入金をおこなう場合について説明したが、本発明はこれに限定されるものではなく、店舗に配設される各種貨幣処理機間で人手を介して貨幣が受け渡される場合に広く適用することができる。
【産業上の利用可能性】
【０１３６】
本発明にかかる資金管理システムは、店舗に配設される各種貨幣処理機間で人手を介して貨幣が受け渡される場合に有用である。
【図面の簡単な説明】
【０１３７】
【図１】本発明に係る資金管理システムを採用した店舗内の概略構成を示す図である。
【図２】本実施例１に係る資金管理システムのシステム構成を示す機能ブロック図である。
【図３】図２に示したレジスタ、管理装置および両替補充機の処理手順を示すフローチャートである。
【図４−１】レジ係員が両替をおこなう場合の概要およびその時点で受け渡されるデータの概要を示す図である。
【図４−２】レジ係員が両替をおこなう場合の概要およびその時点で受け渡されるデータの概要を示す図である。
【図４−３】レジ係員が両替をおこなう場合の概要およびその時点で受け渡されるデータの概要を示す図である。
【図４−４】レジ係員が両替をおこなう場合の概要およびその時点で受け渡されるデータの概要を示す図である。
【図５】本実施例２に係る資金管理システムのシステム構成を示す機能ブロック図である。
【図６】図５に示したレジスタ、管理装置および両替補充機の処理手順を示すフローチャートである。
【図７−１】レジ係員が補充をおこなう場合の概要およびその時点で受け渡されるデータの概要を示す図である。
【図７−２】レジ係員が補充をおこなう場合の概要およびその時点で受け渡されるデータの概要を示す図である。
【図７−３】レジ係員が補充をおこなう場合の概要およびその時点で受け渡されるデータの概要を示す図である。
【図７−４】レジ係員が補充をおこなう場合の概要およびその時点で受け渡されるデータの概要を示す図である。
【図８】本実施例３に係る資金管理システムのシステム構成を示す機能ブロック図である。
【図９】図８に示したレジスタ、管理装置および売上金入金機の処理手順を示すフローチャートである。
【図１０−１】レジ係員が現金で売上金入金をおこなう場合の概要およびその時点で受け渡されるデータの概要を示す図である。
【図１０−２】レジ係員が現金で売上金入金をおこなう場合の概要およびその時点で受け渡されるデータの概要を示す図である。
【図１１】本実施例４に係る資金管理システムのシステム構成を示す機能ブロック図である。
【図１２】図１１に示したレジスタ、管理装置および売上金入金機の処理手順を示すフローチャートである。
【図１３−１】レジ係員が売上金入金カセットを用いて売上金入金をおこなう場合の概要およびその時点で受け渡されるデータの概要を示す図である。
【図１３−２】レジ係員が売上金入金カセットを用いて売上金入金をおこなう場合の概要およびその時点で受け渡されるデータの概要を示す図である。
【符号の説明】
【０１３８】
１  資金管理システム
１０  管理装置
１１  入力部
１２  表示部
１３  記憶部
１３ａ  両替依頼データ
１３ｂ  補充依頼データ
１３ｃ  入金依頼データ
１４  制御部
１４ａ  データ転送処理部
１４ｂ  消込制御部
１４ｃ  判定部
１５  インターフェース部（Ｉ／Ｆ）
２０  レジスタ
２１  インターフェース部（Ｉ／Ｆ）
２２  入力部
２３  表示部
２４  印字部
２５  制御部
２５ａ  担当者ＩＤ登録部
２５ｂ  担当者ＩＤ認識部
２５ｃ  判定部
２５ｄ  両替依頼処理部
２５ｅ  出金受付部
２５ｆ  入金受付処理部
２５ｇ  入金完了通知部
２５ｈ  補充依頼処理部
２５ｉ  補充完了通知部
２５ｊ  入金依頼処理部
２５ｋ  ＩＣタグ書込処理部
２６  貨幣処理機
３０  両替補充機
３１  表示部
３２  制御部
３２ａ  担当者ＩＤ認識部
３２ｂ  判定部
３２ｃ  入金受付処理部
３２ｄ  両替処理部
３２ｅ  両替金出金通知部
３２ｆ  出金処理部
３２ｇ  出金完了通知部
３３  紙幣処理機
３４  硬貨処理機
３５  インターフェース部（Ｉ／Ｆ）
４０  売上金入金機
４１  表示部
４２  制御部
４２ａ  担当者ＩＤ認識部
４２ｂ  判定部
４２ｃ  入金受付処理部
４２ｄ  入金処理部
４２ｅ  入金完了通知部
４２ｆ  ＩＣタグ読取処理部
４３  貨幣収納部
４４  インターフェース部（Ｉ／Ｆ）
【図１】
2005275805.tif 000003
【図２】
2005275805.tif 000004
【図３】
2005275805.tif 000005
【図４−１】
2005275805.tif 000006
【図４−２】
2005275805.tif 000007
【図４−３】
2005275805.tif 000008
【図４−４】
2005275805.tif 000009
【図５】
2005275805.tif 000010
【図６】
2005275805.tif 000011
【図７−１】
2005275805.tif 000012
【図７−２】
2005275805.tif 000013
【図７−３】
2005275805.tif 000014
【図７−４】
2005275805.tif 000015
【図８】
2005275805.tif 000016
【図９】
2005275805.tif 000017
【図１０−１】
2005275805.tif 000018
【図１０−２】
2005275805.tif 000019
【図１１】
2005275805.tif 000020
【図１２】
2005275805.tif 000021
【図１３−１】
2005275805.tif 000022
【図１３−２】
2005275805.tif 000023